(57)【要約】  【課題】  簡単な構成で偏向歪みを防止しつつ、速度変調の感度を効果的に向上させることができる陰極線管装置を提供する。  【解決手段】  電子銃２４が内装され蛍光体スクリーン２８が形成された陰極線管と、陰極線管の外部に配置され電子銃２４から射出された電子ビームを偏向する偏向コイル３２、３４とを備えた陰極線管装置であって、電子ビームの水平走査速度を変調する速度変調コイル１８と、速度変調コイル１８の外側から陰極線管の外周を包囲する第１の磁性体５０と、偏向コイル３２と第１の磁性体５０との間に陰極線管の外周を包囲するように配置された第２の磁性体６０とをさらに備えたことを特徴とする。【選択図】  図１
2005302699.tif 000002
【特許請求の範囲】
【請求項１】
電子銃が内装され蛍光体スクリーンが形成された陰極線管と、前記陰極線管の外部に配置され前記電子銃から射出された電子ビームを偏向する偏向コイルとを備えた陰極線管装置であって、
前記電子ビームの水平走査速度を変調する速度変調コイルと、前記速度変調コイルの外側から前記陰極線管の外周を包囲する第１の磁性体と、前記偏向コイルと前記第１の磁性体との間に配置され前記陰極線管の外周を包囲する第２の磁性体とをさらに備えたことを特徴とする陰極線管装置。
【請求項２】
前記第１及び第２の磁性体は、環状に形成されている請求項１に記載の陰極線管装置。
【請求項３】
前記第１の磁性体は、前記電子銃のうち主レンズを形成する電極間の間隙に対応する位置に配置されている請求項１に記載の陰極線管装置。
【請求項４】
前記偏向コイルを支持する支持枠が管軸方向において前記電子銃の配置されている部分まで延設されており、前記第１の磁性体、前記第２の磁性体及び前記速度変調コイルは、前記支持枠に取付けられている請求項１に記載の陰極線管装置。
【請求項５】
前記速度変調コイルの前記蛍光体スクリーン側の端部は、前記電子銃を構成する金属部分の前記蛍光体スクリーン側端に対して、前記蛍光体スクリーン側に位置する請求項１に記載の陰極線管装置。
【請求項６】
前記第２の磁性体は、前記第１の磁性体よりも前記偏向コイル寄りに配置されている請求項１に記載の陰極線管装置。
【請求項７】
前記第１の磁性体は、Ｎｉ−Ｚｎフェライトの焼結体である請求項１に記載の陰極線管装置。
【請求項８】
前記第１の磁性体は、Ｎｉ−Ｚｎフェライト系の磁性体粉末を混合した樹脂である請求項１に記載の陰極線管装置。
【請求項９】
前記第２の磁性体は、Ｎｉ−Ｚｎフェライトの焼結体である請求項１に記載の陰極線管装置。
【請求項１０】
前記第２の磁性体は、Ｎｉ−Ｚｎフェライト系の磁性体粉末を混合した樹脂である請求項１に記載の陰極線管装置。
【発明の詳細な説明】
【技術分野】
【０００１】
本発明は、テレビ受像機やコンピュータディスプレイなどに用いられる陰極線管装置に関し、特に速度変調コイルを備えた陰極線管装置に関する。
【背景技術】
【０００２】
テレビ受像機における高画質化を実現する一つの方法として、例えば画像の輪郭強調がある。この輪郭強調を行なうために、陰極線管装置には速度変調コイルが設けられている。速度変調コイルは、陰極線管のネック部又はその近傍に設けられており、垂直方向の磁界を発生して電子ビームの水平走査速度を変調することにより画像の輪郭強調を行なう（例えば、特許文献１参照）。
【０００３】
ところで、カラー陰極線管装置においては、近年の大画面化による蛍光体スクリーン上における電子ビームスポット径の増大、高輝度化のための陽極電圧の上昇、前面パネルのフラット化が進んでいる。これらに伴って、画像の輪郭強調のための磁界には一層強い強度が要求されている。
【０００４】
この場合、速度変調コイルに流す電流を増大させたり、速度変調コイルの巻数を増やしたりすることなく、電子ビームに作用する磁界の強度を向上させることができるカラー陰極線管装置が提案されている（例えば、特許文献２参照）。
【０００５】
特許文献２に記載のカラー陰極線管装置においては、ネック内に収納された電子銃の第５グリッド（Ｇ５電極）に設けられた３本（Ｒ、Ｇ、Ｂ）の各電子ビーム通過孔の上下に磁性体を配すると共に、Ｇ５電極に対応するネック外周上の位置に速度変調コイルを設けている。
【０００６】
これにより、速度変調コイルで発生した磁束が磁性体によって集束されて、電子ビームの通過領域に磁束を集中することができ、電子ビームの速度変調に寄与する磁界の強度を向上することができる。
【特許文献１】実公昭５７−４５６５０号公報
【特許文献２】特開平６−２８３１１３号公報
【発明の開示】
【発明が解決しようとする課題】
【０００７】
しかしながら、金属部品である電極（Ｇ５電極）表面に発生する渦電流による損失のため、元々Ｇ５電極内の電子ビームの通過領域に発生する磁界の強度は低い。したがって、この低い強度の磁界を磁性体により高めてみても、その効果はあまり期待できない。すなわち、特許文献２のカラー陰極線管装置では、期待するほど速度変調の感度（速度変調コイルへの入力電流に対する電子ビームの速度変調量）は向上しない。さらに、磁性体とＧ５電極とは溶接接合されており、このような小さな部品同士を溶接するための工数がかかり、製造コストが高くなってしまう。
【０００８】
また、電子銃から射出された電子ビームを蛍光体スクリーン上で走査させる水平偏向コイル及び垂直偏向コイルが発生する偏向磁界は、速度変調コイルが設置されている電子銃側まで分布している。したがって、速度変調の感度を向上させることによって、偏向磁界の分布が影響を受けて偏向歪みが生じることがないように考慮することが望まれる。
【０００９】
本発明は、前記のような従来の問題を解決するものであり、偏向歪みを防止しつつ、簡単な構成で速度変調の感度を効果的に向上させることができる陰極線管装置を提供することを目的とする。
【課題を解決するための手段】
【００１０】
本発明の陰極線管装置は、電子銃が内装され蛍光体スクリーンが形成された陰極線管と、前記陰極線管の外部に配置され前記電子銃から射出された電子ビームを偏向する偏向コイルとを備える。そして、この陰極線管装置は、前記電子ビームの水平走査速度を変調する速度変調コイルと、前記速度変調コイルの外側から前記陰極線管の外周を包囲する第１の磁性体と、前記偏向コイルと前記第１の磁性体との間に配置され前記陰極線管の外周を包囲する第２の磁性体とをさらに備えたことを特徴とする。
【発明の効果】
【００１１】
本発明によれば、偏向歪みを防止しつつ、簡単な構成で速度変調の感度を効果的に向上させることができる。
【発明を実施するための最良の形態】
【００１２】
前記本発明の陰極線管装置においては、前記第１及び第２の磁性体は、環状に形成されていることが好ましい。この構成によれば、陰極線管の外周を確実に包囲することができる。
【００１３】
また、前記第１の磁性体は、前記電子銃のうち主レンズを形成する電極間の間隙に対応する位置に配置されていることが好ましい。この構成によれば、主レンズを形成する電極間の間隙は広いので、速度変調の感度をより効果的に向上させることができる。
【００１４】
また、前記偏向コイルを支持する支持枠が管軸方向において前記電子銃の配置されている部分まで延設されており、前記第１の磁性体、前記第２の磁性体及び前記速度変調コイルは、前記支持枠に取付けられていることが好ましい。この構成によれば、偏向ヨークを構成する支持枠を、第１の磁性体等の支持枠として共用できるので、構造が簡単になる。
【００１５】
また、前記速度変調コイルの前記蛍光体スクリーン側の端部は、前記電子銃を構成する金属部分の前記蛍光体スクリーン側端に対して、前記蛍光体スクリーン側に位置することが好ましい。この構成によれば、金属部品の無い区間に速度変調コイルの磁束を発生させることができるので、速度変調感度の向上を図ることができる。
【００１６】
また、前記第２の磁性体は、前記第１の磁性体よりも前記偏向コイル寄りに配置されていることが好ましい。この構成によれば、第１の磁性体を設けたことにより偏向コイルが発生する偏向磁界の分布が変化するのを第２の磁性体により抑えることができる。また、偏向コイルが発生する偏向磁界と速度変調コイルが発生する磁界とが相互に干渉してリンギングが発生するのを防止できる。
【００１７】
また、前記第１の磁性体は、Ｎｉ−Ｚｎフェライトの焼結体であることが好ましい。この構成によれば、速度変調感度の向上に有利になる。
【００１８】
また、前記第１の磁性体は、Ｎｉ−Ｚｎフェライト系の磁性体粉末を混合した樹脂であることが好ましい。この構成によれば、速度変調感度を高めつつ、コストダウンを図ることができる。
【００１９】
また、前記第２の磁性体は、Ｎｉ−Ｚｎフェライトの焼結体であることが好ましい。この構成によれば、偏向コイルが発生する磁界のうち、電子銃側に浸透する磁界を弱める効果が大きいので、偏向歪みの防止に有利になる。
【００２０】
また、前記第２の磁性体は、Ｎｉ−Ｚｎフェライト系の磁性体粉末を混合した樹脂であることが好ましい。この構成によれば、偏向歪みを防止しつつ、コストダウンを図ることができる。
【００２１】
以下、本発明の一実施の形態について、図面を参照しながら説明する。図１は、本発明の一実施の形態に係るカラー陰極線管装置１０の概略構成を示す半断面図である。図１に示したように、カラー陰極線管装置１０は、カラー陰極線管１２の外周に偏向ヨーク１４、ＣＰＵ（コンバーゼンス・ピュリティ・ユニット）１６、及び速度変調コイル１８が取り付けられている。
【００２２】
カラー陰極線管１２は、フェースパネル２０とファンネル２２とが接合されて形成されたガラスバルブ内に、インライン型電子銃（以下、単に「電子銃」という。）２４やシャドウマスク２６等が収納されたものである。フェースパネル２０の内面には、赤、緑、青の各蛍光体ドット（又はストライプ）が規則正しく配列されて形成された蛍光体スクリーン２８が形成されている。シャドウマスク２６は、蛍光体スクリーン２８とほぼ並行して設けられている。シャドウマスク２６には、電子ビーム通過孔が多数設けられ、電子銃２４から射出される３本の電子ビーム３０がそれぞれの蛍光体に正しく当たるようになっている。
【００２３】
偏向ヨーク１４は、ファンネル２２の外周に設けられており、電子銃２４から射出される３本の電子ビーム３０を上下・左右に偏向し、ラスタースキャン方式で蛍光体スクリーン２８上を走査させる。偏向ヨーク１４は、サドル型の水平偏向コイル３２とトロイダル型の垂直偏向コイル３４とを備えており、垂直偏向コイル３４はフェライトコア３６に巻回されている。
【００２４】
垂直偏向コイル３４と水平偏向コイル３２との間には、樹脂枠（支持枠）３８が設けられている。樹脂枠３８は、垂直偏向コイル３４と水平偏向コイル３２との間の電気的な絶縁状態を維持すると共に、両偏向コイル３２、３４を支持する役割を果たしている。
【００２５】
図２（Ａ）は、ファンネル２２において円筒形をしたネック部４０付近の拡大断面図である。電子銃２４は、ネック部４０の内側に収納されており、３個のカソードＫと、カソードＫから管軸方向に蛍光体スクリーン２８に向けて所定間隔離間して順次配置されたＧ１、Ｇ２、Ｇ３、Ｇ４、Ｇ５Ａ、Ｇ５Ｂ、及びＧ６の各電極と、電極Ｇ６に取付けられたシールドカップＳＣとを備えている。３個のカソードＫは、３個のヒータ（図示せず）により各別に加熱される。カソードＫは、管軸と直交する方向の直線上に配列されているので、図２（Ａ）では３個カソードのうち、手前の１個のみが図示されている。
【００２６】
また、電子銃２４は、電極Ｇ５Ｂと電極Ｇ６との両電極間に主レンズを形成し、この主レンズにより各電子ビームは蛍光体スクリーン２８上に集束される。
【００２７】
ＣＰＵ１６は、電子銃２４に対応するネック部４０の外周上の位置に設けられており、電子ビームの静コンバーゼンス調整及びピュリティ（色純化）調整を行なう。ＣＰＵ１６は、円筒形をした樹脂枠４２と、この樹脂枠４２に取り付けられた、ピュリティ磁石４４、４極磁石４６及び６極磁石４８とからなる。これらの磁石は、いずれも円環状をした２枚の磁石１組で構成されている。
【００２８】
速度変調コイル１８は、一対のループコイル（以下、単に「コイル」と言う。）１８Ａ、１８Ｂから成る。コイル１８Ａ、１８Ｂは、ＣＰＵ１６の樹脂枠４２に取付けられている。すなわち、速度変調コイル１８は、ＣＰＵ１６に一体的に取付けられている。
【００２９】
図３（Ａ）は速度変調コイル１８の概略構成を示した斜視図、図３（Ｂ）は図３（Ａ）に示す管軸に沿った矢印３Ｂからみた速度変調コイル１８の正面図、図３（Ｃ）は速度変調コイル１８を構成するコイル１８Ａ，１８Ｂを平面上に展開した展開図である。
【００３０】
速度変調コイル１８の一実施例を示す。コイル１８Ａ、１８Ｂは、素線径０．４ｍｍのポリウレタン被覆がされた銅線を略方形に４巻されてなり、図３（Ａ）に示すように、その対向する一対の辺をネック部４０の外周形状に沿うように湾曲させて垂直方向に対向して配置される。コイル１８Ａ、１８Ｂは、図３（Ｃ）に示すように平面上に展開した状態で、管軸方向と略平行に配置される辺の長さＬ１、幅Ｗ１は、例えばＬ１＝２５ｍｍ、Ｗ１＝３５ｍｍである。この場合、図３（Ｂ）に示した径φＤ１＝３３ｍｍの仮想円筒面に沿うように樹脂枠４２に取付けられた際の幅Ｗ２は、Ｗ２＝約３０ｍｍである。なお、Ｄ２はネック部４０の外径であり、Ｄ１＞Ｄ２である。速度変調コイル１８には、映像信号を微分して得られる速度変調信号に応じた電流が通電される。
【００３１】
図３（Ａ）に示したように、円環状の磁性体リング（第１の磁性体）５０が、速度変調コイル１８の外側からカラー陰極線管１２のネック部４０に外挿されている。磁性体リング５０は、例えばＮｉ−Ｚｎフェライト系磁性体粉末の焼結体であり、この焼結体の固有抵抗値は１×１０4Ω・ｍである。磁性体リング５０は、例えば内径３８ｍｍ、外径４４ｍｍ、高さ（即ち、管軸方向寸法）４ｍｍである。
【００３２】
また、磁性体リング５０は、図２（Ａ）に示したように、樹脂枠４２に取付けられており、その管軸方向における位置は、Ｇ５Ｂ電極とＧ６電極との間の間隙に対応する位置である。すなわち、磁性体リング５０は、Ｇ５Ｂ電極とＧ６電極との間の間隙に対応する管軸方向の位置において、速度変調コイル１８の外側からカラー陰極線管１２を包囲するように設けられている。
【００３３】
また、図２（Ａ）に示したように、磁性体リング５０とは別個に、磁性体リング（第２の磁性体）６０が偏向ヨーク１４の樹脂枠３８の電子銃２４側端にカラー陰極線管１２を包囲するように設けられている。磁性体リング６０は、例えばＮｉ−Ｚｎフェライト系磁性体粉末の焼結体であり、内径、外径、高さ及び固有抵抗値は磁性体リング５０とほぼ同じである。
【００３４】
磁性体リング５０を設けたことにより、ネック部４０内で電子ビーム３０に作用する磁束の密度を高めることが可能となる。このことを、図４（Ａ）、図４（Ｂ）、図５（Ａ）〜図５（Ｃ）を用いて説明する。図４（Ａ）は磁性体リング５０を備えていない場合に生じる磁束の様子を表した図であり、図４（Ｂ）は磁性体リング５０を備えた場合に生じる磁束の様子を表した図である。なお、図４（Ａ）、図４（Ｂ）は共に、速度変調コイル１８と交差する管軸に垂直な面での磁束の概略を示している。
【００３５】
図４（Ａ）と図４（Ｂ）との比較から分かるように、磁性体リング５０を設けると、いわゆる有芯効果により磁性体リング５０の内側領域（ネック部４０内における電子ビーム通過領域）に磁束が集中するので、電子ビームに作用する磁束の密度が高くなる。
【００３６】
しかも、磁性体リング５０は、管軸方向においては、電子銃２４を構成する電極（Ｇ５Ｂ電極）と電極（Ｇ６電極）との間の間隙に対応する位置に設けられているので、電極における渦電流損の影響を可能な限り避けることができるとともに、磁界領域を広域にすることができるので、速度変調の感度を効果的に向上させることができる。
【００３７】
図５（Ａ）は、Ｇ５Ａ電極付近からシールドカップＳＣ付近までのネック部の概略断面図であり、図５（Ｂ）、図５（Ｃ）は、速度変調コイル１８が発生する磁束密度の管軸に沿った変化の測定結果を、図５（Ａ）と横方向の位置が対応するように図示したものである。図５（Ｂ）は磁性体リング５０を備えていない場合の測定結果を、図５（Ｃ）は磁性体リング５０を備えている場合の測定結果をそれぞれ示している。
【００３８】
図５（Ｂ）の測定結果によれば、電極の存在する区間では、電極で発生する渦電流損により、電極の存在しない区間（電極と電極の間隙部分）と比較して磁束密度が低下することがわかる。従来の構成において、期待するほど速度変調感度が向上しなかったのは、この低下した磁束密度を高めるようにしていたためである。図５（Ｃ）の測定結果によれば、磁性体リング５０を備えたことにより、Ｇ５Ｂ電極とＧ６電極との間隙部分の磁束密度が約２倍になり、また、電子銃のスクリーン側に磁界領域が伸びていることがわかる。すなわち、この構成によれば、速度変調感度を効果的に向上させることができることになる。
【００３９】
図６は、磁性体リング５０を設けない空芯の場合（線６０）と、ＮｉＺｎ系フェライトの焼結体からなる磁性体リング５０を用いた場合（線６１）と、ＭｇＺｎ系フェライトの焼結体からなる磁性体リング５０を用いた場合（線６２）における、速度変調感度の比較試験結果を示すグラフである。
【００４０】
図６において、横軸は速度変調コイル１８に印加する速度変調信号の周波数（以下、「速度変調周波数」という。）を示している。縦軸は、蛍光体スクリーン中央部における５％輝度径（電子ビームスポットの輝度ピークを１００％としたときに、最低輝度から５％分以下の部分を除去して得られる電子ビームのスポット径）を有する電子ビームスポットの水平方向の変位量（以下、「ビーム変位量」と言う。）を相対的に表したものである。すなわち、速度変調周波数１ＭＨｚ時における空芯の場合のビーム変位量を１００％とした相対的なビーム変位量を表したものである。また、本比較試験においては、いずれの場合も、速度変調コイルへの通電量は０．８Ａと一定値とした。
【００４１】
図６に示すように、速度変調周波数が１〜５ＭＨｚの範囲では、ＭｇＺｎ系の磁性体リングを用いた場合（線６２）は、空芯の場合（線６０）に対して速度変調効果を１．５倍に向上させることができることが分かる。また、ＮｉＺｎ系の磁性体リング５０を用いた場合（線６１）であっても、空芯の場合（線６０）に対して速度変調効果を１．２倍に向上させることができる。
【００４２】
図５（Ｂ）から、磁性体リング５０を用いない場合であっても、管軸上においては、電極の存在する区間と比較して、電極間の間隙区間により多くの磁束が発生することが分かる。このため、従来において電子銃の存在する区間における電子ビームの通過領域に、全体として多くの磁束を発生させるためだけに、電極を分割して間隙を増やすといった手法が採られることがあった。この場合、部品点数の増加と組立て工数の増加によって電子銃のコストアップが余儀なくされていた。これに対し、本実施の形態によれば、そういった手法を採ることなく、前記のように効果的に電子ビーム通過領域における磁束密度を高めることができる。
【００４３】
次に、図２（Ｂ）は、磁性体リング６０が存在しない場合の偏向ヨーク１４が発生する磁界を示し、図２（Ｃ）は、磁性体リング６０を備えた場合の偏向ヨーク１４が発生する磁界を示している。各図の縦軸は磁界強度であり、横軸は管軸上の位置である。横軸のＢ点は図２（Ａ）の磁性体リング６０に対応する位置であり、Ｃ点は磁性体リング５０に対応する位置である。
【００４４】
図２（Ｂ）に示したように、偏向ヨーク１４が発生する磁界は電子銃２４側まで延びており、磁性体リング５０の存在により、Ｃ点において磁界強度の分布に変化が生じている。従って、磁性体リング５０の取り付け位置又はＣＰＵ１６の取り付け位置により、磁界強度分布の変化が変動する。また、磁性体リング５０の材質及び形状によっても磁界強度分布の変化が変動する。その結果、電子ビームの偏向作用に歪みが発生する。
【００４５】
一方、図２（Ｃ）に示すように磁性体リング６０の存在により、電子銃２４側に浸透してきている磁界は弱まっており、磁性体リング５０の影響による磁界強度分布の変化は小さい。従って、磁性体リング６０の影響を考慮して偏向ヨークを設計した場合、磁性体リング５０による偏向歪みの発生を防止して速度変調効果を向上させることができる。
【００４６】
以上のように、本実施の形態に係るカラー陰極線管装置では、速度変調コイル１８の外側から、電子銃電極のうち、ある電極（Ｇ５Ｂ電極）とこれと隣接する他の電極（Ｇ６電極）との間の間隙に対応する管軸方向の位置において、陰極線管外周を包囲する磁性体リング５０が設けられている。この磁性体リング５０により、速度変調コイル１８で発生した磁束密度を高めることができる。また、この磁性体リング５０を、金属部品である複数の電極の間隙に対応する位置に設けることにより、速度変調コイル１８で発生した磁束が渦電流により消失するのを低減できる。よって、速度変調の感度を向上させることができる。
【００４７】
さらに、偏向ヨーク１４の電子銃側端に磁性体リング６０が陰極線管外周を包囲するように設けられている。これによって、偏向ヨーク１４から発生する偏向磁界が電子銃側にまで伸びることがない。したがって、磁性体リング５０を設けても、偏向ヨーク１４から発生する偏向磁界の分布がほとんど変化しない。よって、偏向歪みの発生を抑えながら、速度変調コイル１８で発生する磁束を磁性体リング５０で電極間の間隙に集中させて、速度変調感度を向上させることができる。
【００４８】
図７は、本発明の別の実施の形態に係る主要部の構成を示している。前記実施の形態では、速度変調コイル１８と磁性体リング５０とはＣＰＵ１６に一体化されて、偏向ヨーク１４とは別個に取付けられた例を説明したが、図７では、速度変調コイル５４と磁性体リング５０とは偏向ヨーク１４に一体的に取付けられている。
【００４９】
図７に示したように、樹脂枠５２は、図２（Ａ）に示した樹脂枠３８と同様に、水平偏向コイル３２と垂直偏向コイル３６との間を絶縁すると共に、両偏向コイル３２、３６を支持している。ところが、図７に示した樹脂枠５２は、図２（Ａ）に示した樹脂枠３８と異なり、ネック部４０の電子銃が配置されている部分にまで管軸方向に延設されている。この延設部分に速度変調コイル５４及び磁性体リング５０が取付けられている。さらに、図７では、ＣＰＵ１６を構成するピュリティ磁石４４、４極磁石４６、及び６極磁石４８も前記樹脂枠５２に取付けられている。すなわち、図７の構成は、ＣＰＵ１６と偏向ヨーク１４とが一体的に設けられたものといえる。
【００５０】
更に、図７の速度変調コイル５４は、図２（Ａ）に示した速度変調コイル１８よりも、その蛍光体スクリーン側端が水平偏向コイル３２側に延長されている。すなわち、速度変調コイル５４と水平偏向コイル３２との間の距離Ｌ２が図２（Ａ）の構成に比べ小さい。この結果、速度変調コイル５４は、シールドカップＳＣの蛍光体スクリーン側端よりも、管軸方向において蛍光体スクリーン側に延出されている。これは、この延出部分に対応する電子ビーム通過区間（金属部品（電極やシールドカップ）のない区間）に速度変調コイル５４の磁束を発生させて、少しでも速度変調感度の向上を図るためである。
【００５１】
磁性体リング６０が存在しない場合、速度変調コイル５４と水平偏向コイル３２とを近づけ過ぎると、速度変調コイル５４の発生する磁界と水平偏向コイル３２の発生する磁界とが過度に相互干渉して、蛍光体スクリーン上の画像にいわゆるリンギングが発生しやすい。本実施の形態では、磁性体リング６０を備えているので、速度変調コイル５４から発生する電子銃よりもスクリーン側にはみ出す磁界は、磁性体リング６０で遮蔽されるため、問題となるようなリンギングは生じないことが確認されている。
【００５２】
なお、前記実施の形態では、磁性体リング５０をＧ５電極とＧ６電極との間隙に対応する位置に設けた例で説明した。これは、この２個の電極間の間隙において主レンズが形成され、一般的に（本実施の形態においても）主レンズを形成する電極間の間隙が他のいずれの電極間の間隙よりも広いからである。
【００５３】
しかしながら、磁性体リング５０を配する位置は、他の電極間の間隙に対応する位置であってもよい。ある電極とこれに隣接する他の電極との間隙であれば、電子ビーム通過領域に磁束を集中させることができるからである。
【００５４】
また、図２（Ａ）の例では、速度変調コイル１８の外側から陰極線管外周を包囲する磁性体リング５０の個数が１個であるが、本発明は１個に限るものではない。複数個の磁性体リングを準備して、電極間の複数の間隙のそれぞれに対応させて磁性体リングを配置してもよい。このことにより、電子ビーム通過領域全体における磁束密度が一層高くなり、速度変調感度が向上することとなる。
【００５５】
また、磁性体リング５０の形状が円環状の例で説明したが、方形枠状に形成されていてもよく、５角以上の多角形枠状に形成されていてもよい、この場合、ネック部内に生じる磁束の対称性を確保するために、正多角形枠状とすることが好ましい。
【００５６】
また、磁性体リング５０は、完全に閉じた円環状の例で説明したが、その一部を切り欠いてＣ字状としてもよく、２箇所以上切り欠いてもよい。電極間の間隙をカラー陰極線管（ネック部）外周から実質的に包囲するような形状であれば、前記の効果を発揮することができる。
【００５７】
また、磁性体リング５０にＮｉ−Ｚｎフェライトの焼結体を用いた例で説明したが、Ｍｇ−Ｚｎフェライトの焼結体を用いてもよい。また、焼結体に限らず、前記のフェライトの粉末を樹脂に混入して成形した磁性体リングを用いてもよい。この構成によれば、焼結体を用いる場合と比較して、コストダウンを図ることが可能となる。
【００５８】
上記の磁性体リング５０の各種構成については、磁性体リング５０と偏向コイルとの間に配置される磁性体リング６０についても同様に適用できる。
【産業上の利用可能性】
【００５９】
以上のように本発明によれば、簡単な構成で偏向歪みを防止しつつ、速度変調の感度を効果的に向上させることができるので、本発明は、例えばテレビ受像機、コンピュータディスプレイに用いられる陰極線管装置として有用である。
【図面の簡単な説明】
【００６０】
【図１】本発明の一実施の形態に係るカラー陰極線管装置の概略構成を示す半断面図。
【図２】図２（Ａ）は図１に示したカラー陰極線管装置のネック部及びその近傍の拡大断面図、図２（Ｂ）は磁性体リング６０がない場合の磁界の様子を示す図、図２（Ｃ）は磁性体リング６０を設けた場合の磁界の様子を示す図。
【図３】図３（Ａ）は速度変調コイルの概略構成を示した斜視図、図３（Ｂ）は図３（Ａ）に示す管軸に沿った矢印３Ｂから見た速度変調コイルの正面図、図３（Ｃ）は速度変調コイルを構成するループコイルの平面展開図である。
【図４】図４（Ａ）は磁性体リングを設けない場合の磁束の様子を示す図、図４（Ｂ）は磁性体リングを設けた場合の磁束の様子を示す図。
【図５】図５（Ａ）はＧ５Ａ電極付近からシールドカップＳＣ付近までのネック部の概略断面図、図５（Ｂ）は磁性体リング５０を備えていない場合の磁束密度の変化の測定結果を示す図、図５（Ｃ）は磁性体リング５０を備えている場合の磁束密度の変化の測定結果を示す図。
【図６】速度変調感度の比較試験結果を示す図。
【図７】変形例に係るカラー陰極線管装置における、ネック部及びその付近を拡大した断面図である。
【符号の説明】
【００６１】
１０    カラー陰極線管装置
１２    カラー陰極線管
１４    偏向ヨーク
１６    ＣＰＵ
１８    速度変調コイル
２４    電子銃
２８    蛍光体スクリーン
３０    電子ビーム
３２    水平偏向コイル
３４    垂直偏向コイル
３６    フェライトコア
３８    樹脂枠（支持枠）
４０    ネック部
５０    磁性体リング（第１の磁性体）
Ｇ５Ｂ，Ｇ６    電極
６０    磁性体リング（第２の磁性体）
【図１】
2005302699.tif 000003
【図２】
2005302699.tif 000004
【図３】
2005302699.tif 000005
【図４】
2005302699.tif 000006
【図５】
2005302699.tif 000007
【図６】
2005302699.tif 000008
【図７】
2005302699.tif 000009